(57)【要約】【課題】本発明は水晶製シャンデリアを開示した。【解決手段】本発明は水晶製シャンデリアを公示し、照明器具及び前記照明器具と合わせて使用する取付け台座を含み、前記取付け台座の円周壁にはフランジが固定的に設置され、前記フランジの中には複数組の取付け穴が中心対称に設置され、前記取付け台座の底壁には電源と通電できるように連結される受電片が左右対称に設置され、前記取付け台座の中にスライドチャンバが設置され、本発明は簡単に装着でき、そして装着した後、照明器具の固定もできるため、装着をより安定にさせ、また、当設備は照明灯及び水晶ライプシェードを回転させられ、照明にさらなる美観性を与え、最後に照明器具は簡単に取り外せ、メンテナンスや洗浄に便利を与え、抜群の実用効果を有する。【選択図】図１
2020181799.tif 000002
【特許請求の範囲】
【請求項１】
正面視で、水晶製シャンデリアであって、照明器具及び前記照明器具と合わせて使用する取付け台座を含み、前記取付け台座の円周壁にはフランジが固定的に設置され、前記フランジの中には複数組の取付け穴が中心対称に設置され、前記取付け台座の底壁には電源と通電できるように連結される受電片が左右対称に設置され、前記取付け台座の中にスライドチャンバが設置され、前記スライドチャンバの中にはスライドブロックがスライドできるように設置され、前記スライドブロックと前記スライドチャンバの頂壁との間には第一バネが弾性を持つように設置され、前記スライドブロックの底壁の中にはモータが固定的に設置され、前記スライドブロックの左右端壁には第一ラックが固定的に設置され、前記スライドブロックの左右端壁の中には外方に開口した凹溝が設置され、前記スライドチャンバの左右端壁の中には外部に連通した第一スライド穴が設置され、前記第一スライド穴の中には第一スライドロッドがスライドできるように設置され、前記第一スライドロッドと前記第一スライド穴の端壁との間には第一復位装置が弾性を持つように設置され、前記取付け台座の底壁の中には前記スライドチャンバの左右両側に位置している挿入溝が設置され、前記挿入溝と前記スライドチャンバとの間にはギヤチャンバが連通するように設置され、前記ギヤチャンバの中には前記第一ラックと噛み合っている第一ギヤが回転できるように設置され、前記スライドチャンバと前記挿入溝との間には第二スライド穴が連通するように設置され、前記第二スライド穴の中にはロックロッドと第二スライドロッドがスライド可能に設置され、前記第二スライドロッドと前記ロックロッドとの間には第二バネが弾性を持つように設置され、前記ロックロッドと前記第二スライド穴の端壁との間には第二復位装置が弾性を持つように設置され、前記挿入溝の頂壁の中には下に開口した第三スライド穴が設置され、前記第三スライド穴の中には第三スライドロッドがスライド可能に設置され、前記第三スライドロッドと前記第三スライド穴の端壁との間には第三復位装置が弾性を持つように設置され、前記照明器具の外表面には固定スタンドが回転可能に設置され、前記固定スタンドの外表面には水晶ランプシェードが固定的に設置され、前記水晶ライプシェードの中には照明チャンバが設置され、前記照明器具の頂壁には挿入ロッドが固定的に設置され、前記挿入ロッドの端壁には第二ラックが固定的に設置され、前記挿入ロッドの端壁の中にはロック溝が設置され、前記ロックロッドは前記第二バネによって前記ロック溝の中に入ることで、前記照明器具をロックし、固定することを特徴とする水晶製シャンデリア。
【請求項２】
前記照明器具の頂壁には空チャンバが設置され、前記空チャンバの左右端壁の中には向かい合って開口した第四スライド穴が設置され、前記第四スライド穴の中には第四スライドロッドがスライド可能に設置され、前記第四スライドロッドと前記第四スライド穴の端壁との間には第三バネが弾性を持つように設置され、前記第四スライドロッドの中には上下貫通した貫通孔が設置され、前記空チャンバの底壁の中には伝動チャンバが設置され、前記伝動チャンバの左右端壁の中には遠心チャンバが設置され、前記遠心チャンバと前記伝動チャンバとの間には第一回転軸が回転可能に設置され、前記伝動チャンバの中に位置する前記第一回転軸の末端には第一傘歯車が固定的に設置され、前記遠心チャンバの中に位置する前記第一回転軸の末端には遠心盤が固定的に設置され、前記遠心盤の中には遠心溝が環状に設置され、前記遠心溝の中には遠心ブロックがスライド可能に設置され、前記遠心ブロックと前記遠心溝の端壁との間には第三バネが弾性を持つように設置され、前記遠心チャンバの頂壁の中には前記第四スライド穴を貫通した第五スライド穴が設置され、前記第五スライド穴の中には通電ロッドがスライド可能に設置され、前記通電ロッドと前記遠心チャンバの頂壁との間には第四バネが弾性を持つように連結され、前記固定スタンドの底壁の中には雌ネジ付溝が設置され、前記雌ネジ付溝と前記空チャンバとの間には前記伝動チャンバを貫通した第二回転軸が回転可能に設置され、前記空チャンバの中に位置する前記第二回転軸の頂壁の中にはスプライン穴が設置され、前記伝動チャンバの中に位置する前記第二回転軸の外表面には前記第一傘歯車と噛み合っている第二傘歯車が固定的に設置され、前記雌ネジ付溝の中に位置する前記第二回転軸の外表面には第二ギアが固定的に設置され、前記第二回転軸の底部末端は前記照明チャンバに伸びており、かつ前記第二回転軸の底部末端には支持板が回転可能に設置され、前記支持板の中には左右対称した第三回転軸が回転可能に設置され、前記第三回転軸の頂部末端は前記雌ネジ付溝に伸びており、かつ前記第三回転軸の頂部末端には前記雌ネジ付溝と第二ギアと噛み合っている第三ギアが固定的に設置され、前記第三回転軸の底部末端には両側に異なる色を表現できる照明灯が固定的に設置され、前記第二ギアが回転することに連動して、前記第三ギアが自転すると同時に、前記第二回転軸の周りを回転し、また、前記固定スタンド及び前記水晶ライプシェードを逆方向に回転連動させることを特徴とする請求項１に記載の水晶製シャンデリア。
【発明の詳細な説明】
【技術分野】
【０００１】
本発明は照明器具分野に関わるものであり、特に水晶製シャンデリアに関わるものである。
【背景技術】
【０００２】
水晶製シャンデリアで照明をする時には、よく照明器具の体積や重量問題で装着とメンテナンスに不便を与え、また、伝統的な水晶製シャンデリアは発光が単一で、水晶  の屈折力をこなしせず、様式も効能性も単一である。そのため、上記の問題を解決するには、新たな水晶製シャンデリアが必要である。
【先行技術文献】
【特許文献】
【０００３】
【特許文献１】中国特許出願公開第１０９７６４２９０号明細書
【発明の概要】
【発明が解決しようとする課題】
【０００４】
本発明は水晶製シャンデリアを提供し、既存技術にある上記の欠点を解消することを目的とする。
【課題を解決するための手段】
【０００５】
本発明の水晶製シャンデリアは、照明器具及び前記照明器具と合わせて使用する取付け台座を含み、前記取付け台座の円周壁にはフランジが固定的に設置され、前記フランジの中には複数組の取付け穴が中心対称に設置され、前記取付け台座の底壁には電源と通電できるように連結される受電片が左右対称に設置され、前記取付け台座の中にスライドチャンバが設置され、前記スライドチャンバの中にはスライドブロックがスライドできるように設置され、前記スライドブロックと前記スライドチャンバの頂壁との間には第一バネが弾性を持つように設置され、前記スライドブロックの底壁の中にはモータが固定的に設置され、前記スライドブロックの左右端壁には第一ラックが固定的に設置され、前記スライドブロックの左右端壁の中には外方に開口した凹溝が設置され、前記スライドチャンバの左右端壁の中には外部に連通した第一スライド穴が設置され、前記第一スライド穴の中には第一スライドロッドがスライドできるように設置され、前記第一スライドロッドと前記第一スライド穴の端壁との間には第一復位装置が弾性を持つように設置され、前記取付け台座の底壁の中には前記スライドチャンバの左右両側に位置している挿入溝が設置され、前記挿入溝と前記スライドチャンバとの間にはギヤチャンバが連通するように設置され、前記ギヤチャンバの中には前記第一ラックと噛み合っている第一ギヤが回転できるように設置され、前記スライドチャンバと前記挿入溝との間には第二スライド穴が連通するように設置され、前記第二スライド穴の中にはロックロッドと第二スライドロッドがスライド可能に設置され、前記第二スライドロッドと前記ロックロッドとの間には第二バネが弾性を持つように設置され、前記ロックロッドと前記第二スライド穴の端壁との間には第二復位装置が弾性を持つように設置され、前記挿入溝の頂壁の中には下に開口した第三スライド穴が設置され、前記第三スライド穴の中には第三スライドロッドがスライド可能に設置され、前記第三スライドロッドと前記第三スライド穴の端壁との間には第三復位装置が弾性を持つように設置され、前記照明器具の外表面には固定スタンドが回転可能に設置され、前記固定スタンドの外表面には水晶ランプシェードが固定的に設置され、前記水晶ライプシェードの中には照明チャンバが設置され、前記照明器具の頂壁には挿入ロッドが固定的に設置され、前記挿入ロッドの端壁には第二ラックが固定的に設置され、前記挿入ロッドの端壁の中にはロック溝が設置され、前記ロックロッドは前記第二バネによって前記ロック溝の中に入ることで、前記照明器具をロックし、固定する。
【０００６】
好ましくは、前記照明器具の頂壁には空チャンバが設置され、前記空チャンバの左右端壁の中には向かい合って開口した第四スライド穴が設置され、前記第四スライド穴の中には第四スライドロッドがスライド可能に設置され、前記第四スライドロッドと前記第四スライド穴の端壁との間には第三バネが弾性を持つように設置され、前記第四スライドロッドの中には上下貫通した貫通孔が設置され、前記空チャンバの底壁の中には伝動チャンバが設置され、前記伝動チャンバの左右端壁の中には遠心チャンバが設置され、前記遠心チャンバと前記伝動チャンバとの間には第一回転軸が回転可能に設置され、前記伝動チャンバの中に位置する前記第一回転軸の末端には第一傘歯車が固定的に設置され、前記遠心チャンバの中に位置する前記第一回転軸の末端には遠心盤が固定的に設置され、前記遠心盤の中には遠心溝が環状に設置され、前記遠心溝の中には遠心ブロックがスライド可能に設置され、前記遠心ブロックと前記遠心溝の端壁との間には第三バネが弾性を持つように設置され、前記遠心チャンバの頂壁の中には前記第四スライド穴を貫通した第五スライド穴が設置され、前記第五スライド穴の中には通電ロッドがスライド可能に設置され、前記通電ロッドと前記遠心チャンバの頂壁との間には第四バネが弾性を持つように連結され、前記固定スタンドの底壁の中には雌ネジ付溝が設置され、前記雌ネジ付溝と前記空チャンバとの間には前記伝動チャンバを貫通した第二回転軸が回転可能に設置され、前記空チャンバの中に位置する前記第二回転軸の頂壁の中にはスプライン穴が設置され、前記伝動チャンバの中に位置する前記第二回転軸の外表面には前記第一傘歯車と噛み合っている第二傘歯車が固定的に設置され、前記雌ネジ付溝の中に位置する前記第二回転軸の外表面には第二ギアが固定的に設置され、前記第二回転軸の底部末端は前記照明チャンバに伸びており、かつ前記第二回転軸の底部末端には支持板が回転可能に設置され、前記支持板の中には左右対称した第三回転軸が回転可能に設置され、前記第三回転軸の頂部末端は前記雌ネジ付溝に伸びており、かつ前記第三回転軸の頂部末端には前記雌ネジ付溝と第二ギアと噛み合っている第三ギアが固定的に設置され、前記第三回転軸の底部末端には両側に異なる色を表現できる照明灯が固定的に設置され、前記第二ギアが回転することに連動して、前記第三ギアが自転すると同時に、前記第二回転軸の周りを回転し、また、前記固定スタンド及び前記水晶ライプシェードを逆方向に回転連動させる。
【発明の効果】
【０００７】
本発明の有益的効果は：本発明は簡単に装着でき、そして装着した後、照明器具の固定もできるため、装着をより安定にさせ、また、当設備は照明灯及び水晶ライプシェードを回転させられ、照明にさらなる美観性を与え、最後に照明器具は簡単に取り外せ、メンテナンスや洗浄に便利を与え、抜群の実用効果を有する。
【図面の簡単な説明】
【０００８】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【０００９】
【図１】図１は本発明の水晶製シャンデリアの全体装着正面図
【図２】図２は図１における取付け台座の構成略図
【図３】図３は図１における照明器具の構成略図
【図４】図４は図２におけるＡの拡大構造略図
【図５】図５は図３におけるＢの拡大構造略図
【発明を実施するための形態】
【００１０】
本発明書に開示した全ての特徴、或いは開示した全ての方法、過程中のステップは、互いに排斥する特徴或いはステップ以外に、いかなる方式で組み合わせることができる。
【００１１】
下記に図１〜５をあわせて本発明について詳しく説明し、便利に説明するために、下記の方向を以下のように規定する：以下に述べる上下左右前後の方向と図１本体の投影関係の上下左右前後の方向とが一致である。
【００１２】
図１〜５の示すように、本発明の水晶製シャンデリアは、照明器具３８及び前記照明器具３８と合わせて使用する取付け台座１０を含み、前記取付け台座１０の円周壁にはフランジ２２が固定的に設置され、前記フランジ２２の中には複数組の取付け穴２３が中心対称に設置され、前記取付け台座１０の底壁には電源と通電できるように連結される受電片１８が左右対称に設置され、前記取付け台座１０の中にスライドチャンバ１２が設置され、前記スライドチャンバ１２の中にはスライドブロック１５がスライドできるように設置され、前記スライドブロック１５と前記スライドチャンバ１２の頂壁との間には第一バネ１１が弾性を持つように設置され、前記スライドブロック１５の底壁の中にはモータ１７が固定的に設置され、前記スライドブロック１５の左右端壁には第一ラック１６が固定的に設置され、前記スライドブロック１５の左右端壁の中には外方に開口した凹溝４４が設置され、前記スライドチャンバ１２の左右端壁の中には外部に連通した第一スライド穴２１が設置され、前記第一スライド穴２１の中には第一スライドロッド１４がスライドできるように設置され、前記第一スライドロッド１４と前記第一スライド穴２１の端壁との間には第一復位装置１３が弾性を持つように設置され、前記取付け台座１０の底壁の中には前記スライドチャンバ１２の左右両側に位置している挿入溝４８が設置され、前記挿入溝４８と前記スライドチャンバ１２との間にはギヤチャンバ２０が連通するように設置され、前記ギヤチャンバ２０の中には前記第一ラック１６と噛み合っている第一ギヤ１９が回転できるように設置され、前記スライドチャンバ１２と前記挿入溝４８との間には第二スライド穴４７が連通するように設置され、前記第二スライド穴４７の中にはロックロッド４３と第二スライドロッド４５がスライド可能に設置され、前記第二スライドロッド４５と前記ロックロッド４３との間には第二バネ４６が弾性を持つように設置され、前記ロックロッド４３と前記第二スライド穴４７の端壁との間には第二復位装置４２が弾性を持つように設置され、前記挿入溝４８の頂壁の中には下に開口した第三スライド穴５０が設置され、前記第三スライド穴５０の中には第三スライドロッド４９がスライド可能に設置され、前記第三スライドロッド４９と前記第三スライド穴５０の端壁との間には第三復位装置５１が弾性を持つように設置され、前記照明器具３８の外表面には固定スタンド３７が回転可能に設置され、前記固定スタンド３７の外表面には水晶ランプシェード３５が固定的に設置され、前記水晶ライプシェード３５の中には照明チャンバ３６が設置され、前記照明器具３８の頂壁には挿入ロッド３９が固定的に設置され、前記挿入ロッド３９の端壁には第二ラック４０が固定的に設置され、前記挿入ロッド３９の端壁の中にはロック溝４１が設置され、前記ロックロッド４３は前記第二バネ４６によって前記ロック溝４１の中に入ることで、前記照明器具３８をロックし、固定する。
【００１３】
好ましくは、前記照明器具３８の頂壁には空チャンバ２４が設置され、前記空チャンバ２４の左右端壁の中には向かい合って開口した第四スライド穴６４が設置され、前記第四スライド穴６４の中には第四スライドロッド６３がスライド可能に設置され、前記第四スライドロッド６３と前記第四スライド穴６４の端壁との間には第三バネ６５が弾性を持つように設置され、前記第四スライドロッド６３の中には上下貫通した貫通孔５２が設置され、前記空チャンバ２４の底壁の中には伝動チャンバ２７が設置され、前記伝動チャンバ２７の左右端壁の中には遠心チャンバ５６が設置され、前記遠心チャンバ５６と前記伝動チャンバ２７との間には第一回転軸５８が回転可能に設置され、前記伝動チャンバ２７の中に位置する前記第一回転軸５８の末端には第一傘歯車５７が固定的に設置され、前記遠心チャンバ５６の中に位置する前記第一回転軸５８の末端には遠心盤５９が固定的に設置され、前記遠心盤５９の中には遠心溝６２が環状に設置され、前記遠心溝６２の中には遠心ブロック６０がスライド可能に設置され、前記遠心ブロック６０と前記遠心溝６２の端壁との間には第三バネ６１が弾性を持つように設置され、前記遠心チャンバ５６の頂壁の中には前記第四スライド穴６４を貫通した第五スライド穴５３が設置され、前記第五スライド穴５３の中には通電ロッド５５がスライド可能に設置され、前記通電ロッド５５と前記遠心チャンバ５６の頂壁との間には第四バネ５４が弾性を持つように連結され、前記固定スタンド３７の底壁の中には雌ネジ付溝３０が設置され、前記雌ネジ付溝３０と前記空チャンバ２４との間には前記伝動チャンバ２７を貫通した第二回転軸２８が回転可能に設置され、前記空チャンバ２４の中に位置する前記第二回転軸２８の頂壁の中にはスプライン穴２５が設置され、前記伝動チャンバ２７の中に位置する前記第二回転軸２８の外表面には前記第一傘歯車５７と噛み合っている第二傘歯車２６が固定的に設置され、前記雌ネジ付溝３０の中に位置する前記第二回転軸２８の外表面には第二ギア２９が固定的に設置され、前記第二回転軸２８の底部末端は前記照明チャンバ３６に伸びており、かつ前記第二回転軸２８の底部末端には支持板３３が回転可能に設置され、前記支持板３３の中には左右対称した第三回転軸３２が回転可能に設置され、前記第三回転軸３２の頂部末端は前記雌ネジ付溝３０に伸びており、かつ前記第三回転軸３２の頂部末端には前記雌ネジ付溝３０と第二ギア２９と噛み合っている第三ギア３１が固定的に設置され、前記第三回転軸３２の底部末端には両側に異なる色を表現できる照明灯３４が固定的に設置され、前記第二ギア２９が回転することに連動して、前記第三ギア３１が自転すると同時に、前記第二回転軸２８の周りを回転し、また、前記固定スタンド３７及び前記水晶ライプシェード３５を逆方向に回転連動させる。  
【００１４】
下記に、図１〜５及び上記の水晶製シャンデリアの構成を参照し、具体的実施例を説明する。
【００１５】
まず、取付け台座１０を天井に固定し、この時挿入ロッド３９を挿入溝４８の中に挿入し、照明器具３８を上に押すことで、挿入ロッド３９と第二ラック４０を上に移動させ、そしてスライドブロック１５を下に移動させ、第二スライドロッド４５を連動させて第二バネ４６を圧縮させ、スライドブロック１５が第一スライド穴２１の下方に移動した時に、第一スライドロッド１４はスライドチャンバ１２の中に入ってスライドブロック１５の移動を阻止し、この時第二ラック４０は第一ギア１９と分離し、挿入ロッド３９は引き続き上に移動し、挿入ロッド３９と第三スライドロッド４９とが当接した時には、第三スライドロッド４９は上に移動し、第二スライド穴４７とロック溝４１との位置が揃えた時、ロックロッド４３は第二バネ４６によってロック溝４１に入り、それによって照明器具３８と取付け台座１０とを固定し、スライドブロック１５が下に移動するに伴い、モータ１７は下に移動し、出力軸  がそれに連動してスプライン穴２５の中に伸びてスプライン穴２５とスプラインによって連結し、同時にスライドブロック１５は第四スライドロッド６３を圧迫し移動させることで、貫通孔５２と第五スライド穴５３との位置を揃え、この時モータ１７を起動し、第二回転軸２８を回転連動させることで、第二ギア２９を回転連動させ、第二ギア２９の回転により第三ギア３１を連動させて自転すると同時に第二回転軸２８の周りを回転させ、同時に固定スタンド３７及び水晶ライプシェード３５を逆方向に回転連動させ、同時に第二回転軸２８は回転して第二傘歯車２９を回転連動させ、それによって、第一傘歯車５７と遠心盤５９を回転連動  させ、そして遠心ブロック５９を遠心溝６２から離脱連動させ、この時遠心ブロック５９は通電ロッド５５を上に移動連動させ、受電片１８と当接させて通電を開始することで、照明灯３４を通電させて発光させ、光線は水晶ライプシェード３５を通し、異なる色を屈折と散乱で放たれ、水晶ライプシェード３５を洗浄する時には、第一スライドロッド１４を両側に引き、この時スライドブロック１５は第一バネ１１によって上に移動し、第二スライドロッド４５は凹溝４４に伸びると同時に、ロックロッド４３は第二復位装置４２によってロック溝４１から離脱し、この時照明器具３８を下に引くことで、照明器具３８と取付け台座１０とを分離させ、後ほどの洗浄に便利を与える。
【００１６】
本発明の有益的効果は：本発明は簡単に装着でき、そして装着した後、照明器具の固定もできるため、装着をより安定にさせ、また、当設備は照明灯及び水晶ライプシェードを回転させられ、照明にさらなる美観性を与え、最後に照明器具は簡単に取り外せ、メンテナンスや洗浄に便利を与え、抜群の実用効果を有する。
【００１７】
以上に述べたのはただ本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。
【図１】
2020181799.tif 000003
【図２】
2020181799.tif 000004
【図３】
2020181799.tif 000005
【図４】
2020181799.tif 000006
【図５】
2020181799.tif 000007